(57)【要約】      （修正有）【課題】腰掛時に足を乗せる台で携帯が便利な構造にしかつ腰掛けて長時間乗り物に乗る時等の足の疲労を防止する。【解決手段】二枚のプラスチック板の間に多数のセクションを持った軽くて断面係数の高い板を使用し、箱型の枠１を作り上面に同じくプラスチック板で斜めの板、足のせ板２を被せる。足のせ板２はプラスチックフイルム５で連結され、両サイドの板の間にすっぽりはめ込まれ，前面板よりややとびだす。前面板は両サイドの板よりやや低くする。これにより箱型が維持される。折りたたみ時は上面板２を跳ね上げ、かどＢをかどＣ方向に押す事により折りたためる。折りたたみ時はマジックテープでとめる。建物の床板が木製の場合の滑り止めとして台底部にスポンジゴムを接着する。これらにより軽量で携帯が楽でかつ長時間腰掛時の足の疲労が予防できる。【選択図】図２
0003117569.tif 000002
【実用新案登録請求の範囲】
【請求項１】
２枚のプラスチックプレートの間に多数のセクションを有した板で構成される四角の箱型の上に傾斜した同じくプレートを被せる。箱前面の板は両サイドの板より低くし、上面の板が両サイドの板の間にすっぽり入り、前面板よりややつき出す構造にする。上面板は背面板と薄いフイルムで連結される。折りたたみ時は上面板を跳ね上げ箱型の側面の一角を対角に向かって押す事により折りたためる構造である。
【請求項２】
折りたたみ時の広がり防止のためのマジックテープを底部に接着する構造。
【請求項３】
底部に滑り止めのためのスポンジラバーを接着する構造。
【考案の詳細な説明】
【技術分野】
【０００１】    本考案は人が腰掛けた状態で足を乗せる台に関するものである。
【背景技術】
【０００２】    飛行機，列車，車等の腰掛けに長時間座った状態では足が床につき、足の疲労や足先端の血液の循環が悪くなる。
【考案の開示】
【考案が解決しようとする課題】
【０００３】  足のせ台は飛行機や列車の場合一般に前の席に取り付けられた物か，自席に取り付けられた物があるが前の席に取り付けられたものは料金の高い場合が多く，又自席に足のせが取り付けられた席も同じく料金が高い。又車のばあいも足のせが一般的にない。従って台を軽くして持ち運びに便利なようにコンパクトにすればこの欠点は解決する。
【課題を解決するための手段】
【０００４】本考案は、軽量のプラスチック板を使用して四面を囲み，上面を斜めにした足のせ板を両サイドの板にはめ込むように被せ、又折りたたみ時にワンタッチで折りたたみが出来る箱型足のせ台である。
使用する材料は二枚の薄いプラスチック板の間に多くのセクションを持った板にした。形は板の断面係数を高くし、軽くし、全体の構造を最小限の材料を使用するため不必要な材料を省いた箱型にした。底部には滑り止めとしてスポンジを接着した。折りたたんだ状態ではマジックテープを使用しワンタッチでセット出来るようにした。上部の足のせ板の幅を前面の板の幅より狭くして両サイドの板の間にはめ込む構造にした。
【考案の効果】
【０００５】  上述のように本考案は、使用する材料は板の断面係数が高く軽量で、携帯に便利である。上部の足のせ板を両サイドの間に挟み込むことで箱型の形がくずれず最小限の材料で構成出来る。折りたたむときは上部の板を跳ね上げ側面の一角を対角線方向に押し込む事で折りたたみが可能である。折りたたみ状態が崩れないようにマジックテープを使用したためワンタッチで留められる。底面にスポンジを接着したので床面が滑りやすい板床でも滑ることはない。断面係数の高い軽量板を使用し、最小限の部材使用で，折りたたみ時の大きさはＡ４の週刊誌の大きさで一般的市販週刊誌の重量より軽量である。
【考案を実施するための最良の形態】
【０００６】  四方を前述の軽量板で囲み箱型にし上面が手前が低くなるように傾斜をつける。両サイドの板の高さは手前の板よりやや高くして上面板２をはめ込む。上面板２の背部側は背部板とフレキシブルなうすいプラスチックフイルム５で接続する。
【実施例】
【０００７】    以下，添付図に従って一実施例を説明する。１は軽量プラスチック板で出来た箱型側面である。２は箱の上に被せる板で傾斜をつけ背面側は薄いプラスチックフィルム５で背面板と接続されている。３はマジックテープで折りたたみ時に上面板と側面板とを留める。４は箱の底部に接着したスポンジの滑り止めである。【０００８】  本考案の一実施例は上述の如き構成からなるものであるから、長時間腰掛けて旅行する時に本考案の足のせ台を携帯し座席の間に置いて簡単に広げて足を乗せることができる。
【図面の簡単な説明】
【０００９】
【図１】  本考案の正面図
【図２】  図１のＡ−Ａ断面を示す図である。
【図３】  本考案の上面図
【図４】  本考案の折りたたみ時の正面図
【図５】  本考案の折りたたみ時の上面図
【図６】  側面板，上面板の断面拡大図
【符号の説明】
【００１０】１  側板
２  上板
３  マジックテープ
４  スポンジゴム
５  フレキシブルフイルム
【図１】
0003117569.tif 000003
【図２】
0003117569.tif 000004
【図３】
0003117569.tif 000005
【図４】
0003117569.tif 000006
【図５】
0003117569.tif 000007
【図６】
0003117569.tif 000008
【手続補正書】
【提出日】平成17年9月26日(2005.9.26)
【手続補正１】
【補正対象書類名】明細書
【補正対象項目名】０００４
【補正方法】変更
【補正の内容】
【０００４】  本考案は、軽量のプラスチック板を使用して四面を囲み，上面をななめにした足のせ板を両サイドの板にはめ込むように被せ、又折りたたみ時にワンタッチで折りたたみが出来る箱型足のせ台である。
使用する材料は二枚の薄いプラスチック板の間に多くのセクションを持った板にした。形は板の断面係数を高くし、軽くし、全体の構造を最小限の材料を使用するため不必要な材料を省いた箱型にした。底部には滑り止めとしてスポンジを接着した。折りたたんだ状態ではマジックテープ（登録商標〉を使用しワンタッチでセット出来るようにした。上部の足のせ板の幅を前面の板の幅より狭くして両サイドの板の間にはめ込む構造にした。
【手続補正２】
【補正対象書類名】明細書
【補正対象項目名】０００５
【補正方法】変更
【補正の内容】
【０００５】  上述のように本考案は，使用する材料は板の断面係数が高く軽量で、携帯に便利である。上部の足のせ板を両サイドの間に挟み込むことで箱型の形がくずれず最小限の材料で構成出来る。折りたたむときは上部の板を跳ね上げ側面の一角を対角線方向に押し込む事でおりたたみ状態が崩れないようにマジックテープ（登録商標）を使用したためワンタッチで留められる。底面にスポンジを接着したので床面が滑りやすい板床でも滑ることはない。断面係数の高い軽量板を使用し、最小限の部材使用で，折りたたみ時の大きさはＡ４の週刊誌の大きさで一般的市販週刊誌の重量より軽量である。
【手続補正３】
【補正対象書類名】明細書
【補正対象項目名】０００７
【補正方法】変更
【補正の内容】
【０００７】  以下、添付図に従って一実施例を説明する。１は軽量プラスチック板で出来た箱型側面である。２は箱の上に被せる板で傾斜をつけ背面側は薄いプラスチックフィルム５で背面板と接続されている。３はマジックテープ（登録商標）で折りたたみ時に上面板と側面板とを留める。４は箱の底部に接着したスポンジの滑り止めである。
【手続補正４】
【補正対象書類名】明細書
【補正対象項目名】００１０
【補正方法】変更
【補正の内容】
【００１０】１  側板
２  上板
３  マジックテープ（登録商標）
４  スポンジゴム
５  フレキシブルフィルム
【手続補正５】
【補正対象書類名】実用新案登録請求の範囲
【補正対象項目名】全文
【補正方法】変更
【補正の内容】
【実用新案登録請求の範囲】
【請求項１】
２枚のプラスチックプレートの間に多数のセクションを有した板で構成された板で構成される四角の箱型の上に傾斜した同じくプレートを被せ、箱前面の板は両サイドの板より低くし、上面の板が両サイドの板の間にスッポリ入り前面板よりやや突き出す構造にして，上面板は背面板と薄いフィルムで連結され，折りたたみ時は上面板を跳ね上げ箱型の側面の一角を対角に向かって押す事により折りたためる軽量で携帯時にコンパクトになることを特徴とする足のせ台の構造。
【請求項２】
請求項１の足のせ台の折りたたみ時に，広がり防止のためのマジックテープ（登録商標）を取り付けることを特徴とする請求項１記載の足のせ台の構造。
【請求項３】
請求府中１の足のせ台の使用時に底部に滑り止め用のスポンジラバーが接着されている事を特徴とする請求項１に記載の足のせ台の構造。